(57)【要約】【課題】各端子付き電線における異種金属腐食を抑制しつつも端子間ピッチの広がりを抑えることができる端子付き電線群、及び、そのような端子付き電線群を備えたワイヤハーネスを提供する。【解決手段】端子付き電線群１０が、アルミニウム芯線が被覆材で覆われた複数本の被覆電線１１１と、複数本の被覆電線１１１それぞれにおけるアルミニウム芯線が露出された端部１１１ｃに各々が接続される、アルミニウム芯線とは異種の金属で形成された複数の圧着端子１１２と、複数本の被覆電線１１１それぞれにおける端部１１１ｃと、複数の圧着端子１１２それぞれと、の接続部１１ａを、樹脂でまとめて覆うように当該接続部１１ａと一体成形された防食部１２と、を備えた。【選択図】図７
2018156779.tif 000002
【特許請求の範囲】
【請求項１】
導体芯線が被覆材で覆われた複数本の被覆電線と、
前記複数本の被覆電線それぞれにおける前記導体芯線が露出された端部に各々が接続される、前記導体芯線とは異種の金属で形成された複数の圧着端子と、
前記複数本の被覆電線それぞれにおける前記端部と、前記複数の圧着端子それぞれと、の接続部を、樹脂でまとめて覆うように当該接続部と一体成形された防食部と、
を備えたことを特徴とする端子付き電線群。
【請求項２】
前記防食部には、前記複数の圧着端子を保持するコネクタハウジングに係止する防食部側係止部が設けられていることを特徴とする請求項１に記載の端子付き電線群。
【請求項３】
導体芯線が被覆材で覆われた複数本の被覆電線、前記複数本の被覆電線それぞれにおける前記導体芯線が露出された端部に各々が接続される、前記導体芯線とは異種の金属で形成された複数の圧着端子、及び、前記複数本の被覆電線それぞれにおける前記端部と、前記複数の圧着端子それぞれと、の接続部を、樹脂でまとめて覆うように当該接続部と一体成形された防食部、を備えた少なくとも１群の端子付き電線群と、
前記少なくとも１群の端子付き電線群における前記複数の圧着端子を保持するコネクタハウジングと、
を備えたことを特徴とするワイヤハーネス。
【請求項４】
前記防食部には、前記コネクタハウジングに係止する防食部側係止部が設けられ、
前記コネクタハウジングには、前記防食部側係止部と係止する防食部用ハウジング側係止部が設けられていることを特徴とする請求項３に記載のワイヤハーネス。
【請求項５】
前記複数の圧着端子それぞれには、前記コネクタハウジングに係止する端子側係止部が設けられ、
前記コネクタハウジングには、前記複数の圧着端子のうちの少なくとも１つの圧着端子における前記端子側係止部と係止する端子用ハウジング側係止部が設けられていることを特徴とする請求項４に記載のワイヤハーネス。
【発明の詳細な説明】
【技術分野】
【０００１】
本発明は、複数本の被覆電線それぞれの端部に圧着端子が接続された端子付き電線群と、そのような端子付き電線群を備えたワイヤハーネスと、に関するものである。
【背景技術】
【０００２】
近年、銅芯線を有する被覆電線に替えてアルミニウム芯線を有する被覆電線をワイヤハーネスに使用することが行われるようになってきている。このとき、例えばコネクタ端子等の圧着端子の中には、銅合金等で形成されたものがある。このようなタイプの圧着端子を、被覆電線におけるアルミニウム芯線を露出させた端部に接続すると、アルミニウム芯線と圧着端子との接続部で異種金属の接触が生じることとなる。そして、このような接続部に水分が付着すると、いわゆる異種金属腐食により、卑金属であるアルミニウムからなるアルミニウム芯線が腐食する恐れがある。
【０００３】
そこで、上記のような接続部を樹脂で覆った防食部を設けることが提案されている（例えば、特許文献１参照。）。このような防食部を設けることで、上記の接続部への水分の付着が回避され、これにより接続部における異種金属腐食を抑制することができる。
【先行技術文献】
【特許文献】
【０００４】
【特許文献１】特開２０１３−２１４４７７号公報
【発明の概要】
【発明が解決しようとする課題】
【０００５】
ここで、上記のような防食部が設けられた端子付き電線は、アルミニウム芯線と圧着端子との接続部における太さが、防食部をなす樹脂の厚み分太くなる。ワイヤハーネスの多くは複数本の端子付き電線それぞれにおける圧着端子をコネクタハウジングで保持して構成されている。上記のように各端子付き電線における上記の接続部の太さが太くなると、コネクタハウジングで保持する複数の圧着端子の端子間ピッチが広くなる。このような端子間ピッチの広がりは、コネクタハウジングの大型化を招く。また、相手側コネクタについても、そのように広がった端子間ピッチに応じて端子間ピッチを広げて大型となった新たなコネクタハウジングを用意しなければならず、ワイヤハーネス側でのコネクタハウジングの大型化と相俟ってコストの増大を招くこととなる。
【０００６】
尚、ここまで、アルミニウム芯線を有する被覆電線と銅合金等で形成された圧着端子とを備えた端子付き電線を例に挙げて、防食部による異種金属腐食の抑制構造が端子間ピッチの広がりを招く、という問題について説明した。しかしながら、このような問題は、アルミニウム芯線を有する被覆電線と銅合金等で形成された圧着端子とを備えた端子付き電線に限るものではない。このような問題は、被覆電線の芯線と圧着端子との構成金属が互いに異種である場合には共通に生じ得る問題である。
【０００７】
従って、本発明は、上記のような問題に着目し、各端子付き電線における異種金属腐食を抑制しつつも端子間ピッチの広がりを抑えることができる端子付き電線群、及び、そのような端子付き電線群を備えたワイヤハーネスを提供することを目的とする。
【課題を解決するための手段】
【０００８】
上記課題を解決するために、本発明の端子付き電線群は、導体芯線が被覆材で覆われた複数本の被覆電線と、前記複数本の被覆電線それぞれにおける前記導体芯線が露出された端部に各々が接続される、前記導体芯線とは異種の金属で形成された複数の圧着端子と、前記複数本の被覆電線それぞれにおける前記端部と、前記複数の圧着端子それぞれと、の接続部を、樹脂でまとめて覆うように当該接続部と一体成形された防食部と、を備えたことを特徴とする。
【０００９】
本発明の端子付き電線群では、防食部が、複数本の被覆電線それぞれにおける端部と、複数の圧着端子それぞれと、の接続部を、樹脂でまとめて覆うように当該接続部と一体成形される。このため、防食部で覆われる接続部の間隔、即ち、複数の圧着端子の端子間ピッチについては、防食部の形成時に任意に設定することができるので、端子間ピッチの広がりを抑えることができる。このように、本発明の端子付き電線群によれば、防食部を設けることで各端子付き電線における異種金属腐食を抑制しつつも端子間ピッチの広がりを抑えることができる。
【００１０】
また、本発明の端子付き電線群において、前記防食部には、前記複数の圧着端子を保持するコネクタハウジングに係止する防食部側係止部が設けられていることが好適である。
【００１１】
防食部は、複数本の被覆電線それぞれにおける端部と、複数の圧着端子それぞれと、の接続部を、樹脂でまとめて覆うように形成されるので、上記の防食部側係止部は、例えば圧着端子に係止部を設ける場合に比べて大サイズに形成することができる。このため、上記の好適な端子付き電線群によれば、コネクタハウジングに組み付けられた場合、例えば被覆電線が引っ張られた際等の保持力を高めることができる。
【００１２】
また、上記課題を解決するために、本発明のワイヤハーネスは、導体芯線が被覆材で覆われた複数本の被覆電線、前記複数本の被覆電線それぞれにおける前記導体芯線が露出された端部に各々が接続される、前記導体芯線とは異種の金属で形成された複数の圧着端子、及び、前記複数本の被覆電線それぞれにおける前記端部と、前記複数の圧着端子それぞれと、の接続部を、樹脂でまとめて覆うように当該接続部と一体成形された防食部、を備えた少なくとも１群の端子付き電線群と、前記少なくとも１群の端子付き電線群における前記複数の圧着端子を保持するコネクタハウジングと、を備えたことを特徴とする。
【００１３】
本発明のワイヤハーネスでは、少なくとも１群の端子付き電線群について、防食部が、複数本の被覆電線それぞれにおける端部と、複数の圧着端子それぞれと、の接続部を、樹脂でまとめて覆うように当該接続部と一体成形される。このため、少なくともこの端子付き電線群については、複数の圧着端子の端子間ピッチについては、防食部の形成時に任意に設定することができるので、端子間ピッチの広がりを抑えることができる。このように、本発明のワイヤハーネスによれば、防食部を設けることで各端子付き電線における異種金属腐食を抑制しつつも端子間ピッチの広がりを抑えることができる。
【００１４】
また、本発明のワイヤハーネスおいて、前記防食部には、前記コネクタハウジングに係止する防食部側係止部が設けられ、前記コネクタハウジングには、前記防食部側係止部と係止する防食部用ハウジング側係止部が設けられていることが好適である。
【００１５】
防食部は、複数本の被覆電線それぞれにおける端部と、複数の圧着端子それぞれと、の接続部を、樹脂でまとめて覆うように形成されるので、上記の防食部側係止部は、例えば圧着端子に係止部を設ける場合に比べて大サイズに形成することができる。このため、上記の好適なワイヤハーネスによれば、被覆電線が引っ張られた際の保持力を高めることができる。
【００１６】
また、この好適なワイヤハーネスおいて、前記複数の圧着端子それぞれには、前記コネクタハウジングに係止する端子側係止部が設けられ、前記コネクタハウジングには、前記複数の圧着端子のうちの少なくとも１つの圧着端子における前記端子側係止部と係止する端子用ハウジング側係止部が設けられていることが更に好適である。
【００１７】
この更に好適なワイヤハーネスによれば、少なくとも１つの圧着端子での係止、及び、防食部での係止、により、端子付き電線群をコネクタハウジングに二重係止させることができ、被覆電線が引っ張られた際の保持力を一層高めることができる。
【発明の効果】
【００１８】
本発明によれば、各端子付き電線における異種金属腐食を抑制しつつも端子間ピッチの広がりを抑えることができる端子付き電線群、及び、そのような端子付き電線群を備えたワイヤハーネスを得ることができる。
【図面の簡単な説明】
【００１９】
【図１】本発明の一実施形態にかかるワイヤハーネスの一例をコネクタハウジング側の端部について示す図である。
【図２】図１に示されているワイヤハーネスを、図１中の矢印Ｖ１１方向から見た図である。
【図３】図１及び図２に示されているワイヤハーネスを、端子付き電線群とコネクタハウジングとに分解して、図１と同じ方向から見た分解斜視図である。
【図４】図１及び図２に示されているワイヤハーネスを、端子付き電線群とコネクタハウジングとに分解して、図２と同じ方向から見た分解斜視図である。
【図５】図３及び図４に示されている端子付き電線を示す斜視図である。
【図６】図５に示されている端子付き電線を、図５中の矢印Ｖ１２方向から見た平面図、及び、図５中の矢印Ｖ１３方向から見た側面図である。
【図７】図３及び図４に示されている端子付き電線群を示す斜視図である。
【図８】端子付き電線群を挿入する前のコネクタハウジングにおける、図４中のＶ１４−Ｖ１４線断面を示す断面図である。
【図９】端子付き電線群を挿入した後のコネクタハウジングにおける、図２中のＶ１５−Ｖ１５線断面を示す断面図である。
【図１０】端子付き電線群を挿入した後のコネクタハウジングにおける、図２中のＶ１６−Ｖ１６線断面を示す断面図である。
【図１１】端子付き電線群の変形例を示す図である。
【発明を実施するための形態】
【００２０】
以下、本発明の端子付き電線群及びワイヤハーネスの一実施形態について説明する。
【００２１】
図１は、本発明の一実施形態にかかるワイヤハーネスの一例をコネクタハウジング側の端部について示す図であり、図２は、図１に示されているワイヤハーネスを、図１中の矢印Ｖ１１方向から見た図である。
【００２２】
本実施形態におけるワイヤハーネス１は、端部に雌型コネクタ２０が形成されたものであり、２群の端子付き電線群１０と、コネクタハウジング２１と、を備えている。各端子付き電線群１０は、５本の端子付き電線１１を備えている。
【００２３】
図３は、図１及び図２に示されているワイヤハーネスを、端子付き電線群とコネクタハウジングとに分解して、図１と同じ方向から見た分解斜視図である。また、図４は、図１及び図２に示されているワイヤハーネスを、端子付き電線群とコネクタハウジングとに分解して、図２と同じ方向から見た分解斜視図である。
【００２４】
本実施形態では、コネクタハウジング２１には、雌型コネクタ端子としての圧着端子１１２が１個ずつ収容される四角筒状の端子収容室２１１が、５×２に合計１０個設けられている。各端子付き電線群１０は、各列の５個の端子収容室２１１それぞれに圧着端子１１２が収まるように、５本の端子付き電線１１が互いに並行に並べられた状態で後述の樹脂製の防食部１２によってまとめられたものとなっている。
【００２５】
図５は、図３及び図４に示されている端子付き電線を示す斜視図であり、図６は、図５に示されている端子付き電線を、図５中の矢印Ｖ１２方向から見た平面図、及び、図５中の矢印Ｖ１３方向から見た側面図である。図６では、図中上側に端子付き電線１１の平面図が示され、図中下側に端子付き電線１１の側面図が示されている。
【００２６】
尚、図５及び図６と、図３及び図４とでは、端子付き電線１１が、図中の上下方向について互いに逆向きに示されている。即ち、図３及び図４において上方を向く面が、図５及び図６では下方を向いて示されている。
【００２７】
端子付き電線１１は、被覆電線１１１と、圧着端子１１２と、を備えている。本実施形態では、被覆電線１１１は、アルミニウム芯線１１１ａが樹脂製の被覆材１１１ｂで覆われたものである。
【００２８】
圧着端子１１２は、被覆電線１１１において被覆材１１１ｂが除去されてアルミニウム芯線１１１ａが露出された端部１１１ｃに接続される雌型コネクタ端子である。圧着端子１１２は、四角筒状で先端の開口１１２ａ−１から挿入される雄型の相手側端子と嵌合する嵌合部１１２ａと、被覆電線１１１の端部１１１ｃに圧着される圧着部１１２ｂと、を備えている。また、圧着部１１２ｂは、端部１１１ｃにおけるアルミニウム芯線１１１ａに圧着される芯線バレル１１２ｂ−１と、端部１１１ｃにおける芯線近傍の被覆材１１１ｂに圧着される被覆バレル１１２ｂ−２と、を備えている。そして、本実施形態では、この圧着端子１１２が、アルミニウム芯線１１１ａとは異種の金属である銅合金で形成されている。
【００２９】
各々がこのような圧着端子１１２と被覆電線１１１とからなる５本の端子付き電線１１を、樹脂製の防食部１２がまとめて本実施形態の端子付き電線群１０が構成されている。
【００３０】
図７は、図３及び図４に示されている端子付き電線群を示す斜視図である。
【００３１】
この端子付き電線群１０において、防食部１２は、５本の被覆電線１１１それぞれにおける上記の端部１１１ｃと、５つの圧着端子１１２それぞれと、の接続部１１ａを、樹脂でまとめて覆うように当該接続部１１ａと一体成形されている。一体成形の手法としては、例えば、金型内に５本の被覆電線１１１を互いに平行に並べて配置し、樹脂材料を金型に注入固化することによるインサート成形等が挙げられる。
【００３２】
異種金属の接触が生じる各端子付き電線１１の接続部１１ａをこのように樹脂で覆って防食部１２を形成することにより、接続部１１ａへの水分の付着が回避されて、接続部１１ａにおける異種金属腐食を抑制することができる。この防食部１２は、図３、図４、及び図７に示されているように、圧着端子１１２の図中上下方向の寸法よりも若干厚い、矩形板形状に形成される。
【００３３】
図３及び図４に示されているように、本実施形態では、２群の端子付き電線群１０が、図中上下方向に重ねられてコネクタハウジング２１に挿入されてワイヤハーネス１が構成される。端子付き電線群１０の挿入は、コネクタハウジング２１において端子収容室２１１が設けられている側とは反対側の開口２１２から図中に矢印で示されている挿入方向Ｄ１１に行われる。コネクタハウジング２１におけるこの開口２１２側には、矩形板形状の防食部１２が１つずつ収容される矩形筒状の防食部収容室２１３が上下２段に設けられている。また、各防食部収容室２１３の、開口２１２から見て左右両下端には防食部１２の挿入を案内する案内レール２１４が形成されている。他方、防食部１２には、図３、図４、及び図７に示されているように、挿入方向Ｄ１１に沿った左右両側面の下端縁に、上記の案内レール２１４と嵌合する案内溝１２１が形成されている。端子付き電線群１０は、防食部１２の案内溝１２１を防食部収容室２１３の案内レール２１４に嵌合させつつ、開口２１２から挿入方向Ｄ１１にスライド挿入される。これにより、防食部１２が防食部収容室２１３に収容されるとともに、挿入方向Ｄ１１の先端側に位置する５つの圧着端子１１２における相手側端子との嵌合部１１２ａがコネクタハウジング２１の端子収容室２１１に挿入されて収容される。
【００３４】
また、本実施形態では、防食部１２には、コネクタハウジング２１に係止する防食部側係止部１２２が設けられ、コネクタハウジング２１には、防食部側係止部１２２と係止する防食部用ハウジング側係止部２１５が設けられている。
【００３５】
防食部１２の防食部側係止部１２２は、防食部１２における挿入方向Ｄ１１に沿った左右両側面から突出した突起である。この防食部側係止部１２２は、挿入方向Ｄ１１の前方側が、この挿入方向Ｄ１１に向かって下り傾斜となった爪状の突起となっている。そして、コネクタハウジング２１の防食部用ハウジング側係止部２１５は、各防食部収容室２１３の、開口２１２から見て左右両側面に設けられ、上記の防食部側係止部１２２が嵌入係止する貫通孔となっている。
【００３６】
図８は、端子付き電線群を挿入する前のコネクタハウジングにおける、図４中のＶ１４−Ｖ１４線断面を示す断面図である。図９は、端子付き電線群を挿入した後のコネクタハウジングにおける、図２中のＶ１５−Ｖ１５線断面を示す断面図である。また、図１０は、端子付き電線群を挿入した後のコネクタハウジングにおける、図２中のＶ１６−Ｖ１６線断面を示す断面図である。
【００３７】
各端子付き電線群１０は、防食部側係止部１２２が防食部用ハウジング側係止部２１５に嵌入係止するまでコネクタハウジング２１に開口２１２から挿入される。また、このときには、防食部１２が防食部収容室２１３に収容されるとともに、挿入方向Ｄ１１の先端側に位置する５つの圧着端子１１２における相手側端子との嵌合部１１２ａがコネクタハウジング２１の端子収容室２１１に挿入されて収容される。このような挿入が２群の端子付き電線群１０が行われることでワイヤハーネス１が構成される。
【００３８】
ここで、図５及び図６に示されているように、圧着端子１１２における相手側端子との嵌合部１１２ａの、図５及び図６において上方を向く面には、コネクタハウジング２１に係止する端子側係止部１１２ａ−２が設けられている。これらの図５及び図６では、端子側係止部１１２ａ−２が、嵌合部１１２ａにおける上方を向く面から更に上方に突出した凸部として示されている。尚、図９では、図３や図４と同様に、端子付き電線１１が、図中の上下方向について図５及び図６とは逆向きに示されている。つまり、図９では、端子側係止部１１２ａ−２が、嵌合部１１２ａにおいて図中で下方を向く面から更に下方に突出した凸部として示されている。
【００３９】
そして、図８及び図９に示されているように、コネクタハウジング２１における各端子収容室２１１の、図中下側には、防食部収容室２１３の側から端子収容室２１１の開口へと挿入方向Ｄ１１に延在するランス２１１ａが設けられている。このランス２１１ａが、端子収容室２１１に収容された圧着端子１１２の嵌合部１１２ａにおける端子側係止部１１２ａ−２と係止する端子用ハウジング側係止部の役割を果たす。
【００４０】
上述したように、端子付き電線群１０がコネクタハウジング２１に開口２１２から挿入方向Ｄ１１に挿入されると、防食部側係止部１２２が防食部用ハウジング側係止部２１５に嵌入係止する。そして、このときには、各端子収容室２１１に進入した嵌合部１１２ａにおける端子側係止部１１２ａ−２にランス２１１ａが係止する。ランス２１１ａは、端子収容室２１１に嵌合部１１２ａが進入すると、室外へと撓んで端子側係止部１１２ａ−２を通し、嵌合部１１２ａがある程度進んだところで復位して端子側係止部１１２ａ−２に係止する。このように、防食部側係止部１２２が防食部用ハウジング側係止部２１５に嵌入係止し、端子側係止部１１２ａ−２にランス２１１ａが係止することで、端子付き電線群１０がコネクタハウジング２１に固定される。そして、２群の端子付き電線群１０がコネクタハウジング２１に固定されてワイヤハーネス１が構成される。尚、ここでは特定しないが、ランス２１１ａは、嵌合部１１２ａの進入時に上記のような撓み、復位、及び係止が可能な構造であれば、片持ち梁形状でも両持ち梁形状でも何れの形状であってもよい。
【００４１】
尚、本実施形態では、コネクタハウジング２１に、各々が５本の端子付き電線１１を備える２群の端子付き電線群１０が取り付けられる形態が例示されている。しかしながら、本発明にいう端子付き電線群は、これに限るものではなく、次のような変形例であってもよい。
【００４２】
図１１は、端子付き電線群の変形例を示す図である。尚、この図１１では、図７に示されている実施形態の端子付き電線群１０における構成要素と同等な構成要素については、図７と同じ符号が付されている。以下では、これら同等な構成要素についての重複説明を割愛する。
【００４３】
この変形例の端子付き電線群３０は、５×２に互いに平行に配列された１０本の端子付き電線１１が、１つの防食部３２でまとめられて構成されている。この変形例における防食部３２は、図５に示されている実施形態における防食部１２の２枚分の厚みを有している。ここで、変形例の端子付き電線群３０は、上述の実施形態におけるコネクタハウジング２１に挿入可能な形状に形成されている。即ち、その左右両側面には、コネクタハウジング２１における４本の案内レール２１４と嵌合する４本の案内溝３２１と、４つの防食部用ハウジング側係止部２１５に係止する４つの防食部側係止部３２２が設けられている。
【００４４】
以上に説明した端子付き電線群１０，３０では、防食部１２，３２が、複数本の被覆電線１１１それぞれにおける端部１１１ｃと、複数の圧着端子１１２それぞれと、の接続部１１ａを、樹脂でまとめて覆うように当該接続部１１ａと一体成形される。このため、防食部１２，３２で覆われる接続部１１ａの間隔、即ち、複数の圧着端子１１２の端子間ピッチについては、防食部１２，３２の形成時に任意に設定することができるので、端子間ピッチの広がりを抑えることができる。このように、上記実施形態及び変形例の端子付き電線群１０，３０によれば、防食部１２，３２を設けることで各端子付き電線１１における異種金属腐食を抑制しつつも端子間ピッチの広がりを抑えることができる。これにより、防食を行ないつつもコネクタハウジング２１の大型化を抑えることができる。
【００４５】
本実施形態及び変形例では、端子間ピッチは、被覆電線の芯線と圧着端子とが同種の金属で形成され接続部における防食が不要の場合の端子間ピッチと略同程度とすることができる。
【００４６】
また、本実施形態及び変形例では、複数本の端子付き電線１１が防食部１２，３２でまとめられて端子付き電線群１０，３０が形成される。このため、それらのまとめられた本数単位で、端子付き電線１１の圧着端子１１２の嵌合部１１２ａを、コネクタハウジング２１における複数の端子収容室２１１に一度に挿入することができる。この点においても、ワイヤハーネス１の製造コストを抑えることができる。
【００４７】
また、上記実施形態及び変形例の端子付き電線群１０，３０では、防食部１２，３２には、コネクタハウジング２１に係止する防食部側係止部１２２，３２２が設けられている。また、上記実施形態のワイヤハーネス１では、コネクタハウジング２１に、上記の防食部側係止部１２２と係止する防食部用ハウジング側係止部２１５が設けられている。
【００４８】
防食部１２，３２は、複数本の端子付き電線１１の接続部１１ａを、樹脂でまとめて覆うように形成されるので、上記の防食部側係止部１２２，３２２は、例えば圧着端子１１２の端子側係止部１１２ａ−２等に比べて大サイズに形成されている。このため、上記の端子付き電線群１０，３０によれば、コネクタハウジング２１に組み付けられた場合、例えば被覆電線１１１が引っ張られた際等の保持力を高めることができる。
【００４９】
また、上記実施形態のワイヤハーネス１では、複数の圧着端子１１２それぞれには、コネクタハウジング２１に係止する端子側係止部１１２ａ−２が設けられている。そして、コネクタハウジング２１には、この端子側係止部１１２ａ−２と係止する端子用ハウジング側係止部としてのランス２１１ａが設けられている。これにより、圧着端子１１２での係止、及び、防食部１２，３２での係止、により、端子付き電線群１０，３０をコネクタハウジング２１に二重係止させることができ、被覆電線１１１が引っ張られた際の保持力を一層高めることができる。
【００５０】
尚、以上に説明した実施形態及び変形例は本発明の代表的な形態を示したに過ぎず、本発明は、これらの実施形態や変形例に限定されるものではない。即ち、本発明の骨子を逸脱しない範囲で種々変形して実施することができる。かかる変形によってもなお本発明の端子付き電線群及びワイヤハーネスの構成を具備する限り、勿論、本発明の範疇に含まれるものである。
【００５１】
例えば、上述した実施形態や変形例では、本発明にいう端子付き電線群の一例として、５本の端子付き電線１１が一列に並べられた端子付き電線群１０や、１０本の端子付き電線１１が５本ずつ２段に並べられた端子付き電線群３０が例示されている。しかしながら、本発明にいう端子付き電線群はこれらに限るものではない。本発明にいう端子付き電線群は、５本以外の複数本の端子付き電線が一列に並べられたものや、それら複数本の端子付き電線が複数段に並べられたもの等であってもよい。
【００５２】
また、上述した実施形態では、本発明にいうワイヤハーネスの一例として、コネクタハウジング２１に２群の端子付き電線群１０が取り付けられたワイヤハーネス１が例示されている。また、変形例では、同様のコネクタハウジング２１に１群の端子付き電線群３０が取り付けられることで同様のワイヤハーネスが構成されることが例示されている。しかしながら、本発明にいうワイヤハーネスは、これらに限るものではない。本発明にいうワイヤハーネスは、端子付き電線群が３群以上取り付けられることで構成されるもの等であってもよい。あるいは、本発明にいうワイヤハーネスは、本発明にいう端子付き電線群の他に、芯線と圧着端子が同種金属となって防食部を備えない端子付き電線を１本以上備えたもの等であってもよい。何れにしても、本発明にいうワイヤハーネスは、本発明にいう端子付き電線群を少なくとも１群備えているものであれば、その具体的な電線構成を問うものではない。
【００５３】
また、上述した実施形態や変形例では、本発明にいう導体芯線の一例としてアルミニウム芯線１１１ａが例示され、本発明にいう圧着端子の一例として銅合金製の圧着端子１１２が例示されている。しかしながら、本発明にいう導体芯線や圧着端子はこれらに限るものではなく、互いに異種の金属で形成されるものであれば、具体的な金属種を問うものではない。
【００５４】
また、上述した実施形態や変形例では、本発明にいう圧着端子の一例として雌型コネクタ端子としての圧着端子１１２が例示されている。しかしながら、本発明にいう圧着端子はこれに限るものではなく、例えば雄型コネクタ端子等であってもよい。
【００５５】
また、上述した実施形態では、本発明にいう防食部の一例として、矩形板状の防食部１２，３２が例示されている。しかしながら、本発明にいう防食部は、これに限るものではない。本発明にいう防食部は、例えばコネクタハウジングが円筒状である場合に円柱状や半円柱状に形成されたもの等であってもよく、その外形は、取り付けられるコネクタハウジングの形状に合致するように任意に設定される。
【００５６】
また、上述した実施形態や変形例では、本発明にいう防食部側係止部の一例として、防食部１２に２つ設けられた防食部側係止部１２２や、防食部３２に４つ設けられた防食部側係止部３２２が例示されている。また、本発明にいう防食部用ハウジング側係止部の一例として、コネクタハウジング２１に４つ設けられた防食部用ハウジング側係止部２１５が例示されている。しかしながら、本発明にいう防食部側係止部や防食部用ハウジング側係止部はこれらに限るものではない。本発明にいう防食部側係止部や防食部用ハウジング側係止部は、互いに係止可能であれば、防食部やコネクタハウジングに設ける具体的な数については問うものではない。
【００５７】
また、上述した実施形態や変形例では、本発明にいう端子用ハウジング側係止部の一例として、複数の圧着端子１１２それぞれの端子側係止部１１２ａ−２と一対一に係止するランス２１１ａが例示されている。しかしながら、本発明にいう端子用ハウジング側係止部はこれに限るものではない。本発明にいう端子用ハウジング側係止部は、複数の圧着端子のうちの少なくとも１つの圧着端子における端子側係止部と係止するものであれば、その具体的な数を問うものではない。例えば、防食部側係止部と防食部用ハウジング側係止部との係止強度を見越して、コネクタハウジングに設ける端子用ハウジング側係止部の数を減らし、コネクタハウジングへの端子付き電線群の取付け時の抵抗力の低減を図ってもよい。
【符号の説明】
【００５８】
１      ワイヤハーネス
１０，３０    端子付き電線群
１１    端子付き電線
１１ａ  接続部
１２，３２    防食部
２０    雌型コネクタ
２１    コネクタハウジング
１１１  被覆電線
１１１ａ  アルミニウム芯線（導体芯線）
１１１ｂ  被覆材
１１１ｃ  端部
１１２  圧着端子
１１２ａ  嵌合部
１１２ａ−１  開口
１１２ａ−２  端子側係止部
１２２，３２２  防食部側係止部
２１１ａ  ランス（端子用ハウジング側係止部）
２１３  防食部収容室
２１５  防食部用ハウジング側係止部
【図１】
2018156779.tif 000003
【図２】
2018156779.tif 000004
【図３】
2018156779.tif 000005
【図４】
2018156779.tif 000006
【図５】
2018156779.tif 000007
【図６】
2018156779.tif 000008
【図７】
2018156779.tif 000009
【図８】
2018156779.tif 000010
【図９】
2018156779.tif 000011
【図１０】
2018156779.tif 000012
【図１１】
2018156779.tif 000013